(57)【要約】  少なくとも１つの圧縮機段ブレードアセンブリを有するロータを低速でバランス取りする方法を説明する。アセンブリは、周方向に配置された一列の複数のブレードを有しかつ周方向クリアランスを含む。２つ以上のブレードが、それぞれアセンブリ内である角度位置を有する定置のブレードとして識別され、これらの定置のブレードを前記角度位置に保持する。定置のブレードは、アセンブリ内に複数の区分を画成する。各区分は、可動ブレードと、区分毎の周方向クリアランスとを含み、すなわち周方向クリアランスは、複数の区分に細分される。アセンブリが回転されるときに、前記区分の区分毎の周方向クリアランスが、回転方向に関して、可動ブレードに対して周方向下流側に移動するように、可動ブレードが、区分毎に周方向に調節される。各区分内の区分毎の周方向クリアランスと可動ブレードとの相対位置が、インサートの導入によって保持される。最後に、低速でバランスを取る条件において、ロータ用のアンバランスの測定が行われる。低速でバランスを取った後にインサートが除去され、クリアランスは、ブレードの根元の熱膨張を収容するように維持される。
2019531435.tif 000002
【特許請求の範囲】
【請求項１】
少なくとも１つの圧縮機段ブレードアセンブリ（１）を有するロータを低速でバランス取りする方法（１００）であって、前記圧縮機段ブレードアセンブリ（１）は、ガスタービンエンジン（１０）の圧縮機区分（１４）の１つの段（４８）を形成するために、１つまたは複数のロータディスク（６０，６３）によって周方向にクランプかつ支持された一列（５）の圧縮機ブレード（８）を有しており、前記圧縮機段ブレードアセンブリ（１）は、周方向クリアランス（９）を有している、方法において、
前記圧縮機段ブレードアセンブリ（１）内の複数の圧縮機ブレード（８）を、定置のブレード（８２）として識別する（１１０）ことを含み、各定置のブレード（８２）は、前記圧縮機段ブレードアセンブリ（１）の回転軸（６６）に対してある角度位置（８３）を有しており、
前記定置のブレード（８２）が、前記圧縮機段ブレードアセンブリ（１）を複数の区分（２）に分割するように、前記圧縮機段ブレードアセンブリ（１）内のそれぞれの角度位置に前記定置のブレード（８２）を保持する（１２０）ことを含み、各区分（２）は、一つまたは複数の可動ブレード（８４）を含み、前記周方向クリアランス（９）は、複数の区分毎の周方向クリアランス（９９）に細分され、
前記圧縮機段ブレードアセンブリ（１）が回転されるときに、前記区分（２）内の前記区分毎の周方向クリアランス（９９）が、前記可動ブレード（８４）に対して、および前記圧縮機段ブレードアセンブリ（１）の回転方向（６７）に関して、周方向下流側に移動されるように、前記可動ブレード（８４）を区分ごとに周方向に調節し（１３０）、
各前記区分毎の周方向クリアランス（９９）に１つまたは複数のインサート（９７）を導入して（１４０）、各区分（２）内で前記区分毎の周方向クリアランス（９９）と前記可動ブレード（８４）との相対位置を保持し、
低速でバランスを取る条件において、前記圧縮機段ブレードアセンブリ（１）を備えた前記ロータについてアンバランスの測定を行い（１５０）、
前記圧縮機段ブレードアセンブリ（１）のバランスを取り、
低速でのバランス取りが完了した後に前記１つまたは複数のインサートを除去する
ことを含む方法（１００）。
【請求項２】
前記圧縮機段ブレードアセンブリ（１）内の前記定置のブレード（８２）の前記角度位置（８３）は、前記定置のブレード（８２）がそれぞれの角度位置（８３）に保持される場合に前記圧縮機段ブレードアセンブリ（１）が複数の均等な区分（２）に分割されるようにする、請求項１記載の方法（１００）。
【請求項３】
前記定置のブレード（８２）の識別（１１０）時に、６つの定置のブレード（８２）が識別される、請求項１または２記載の方法（１００）。
【請求項４】
前記定置のブレード（８２）をそれぞれの角度位置（８３）に保持する（１２０）ことは、前記定置のブレード（８２）をそれぞれ、その角度位置（８３）に固定する（１２５）ことを含む、請求項１から３までのいずれか１項記載の方法（１００）。
【請求項５】
前記圧縮機ブレードの列（５）を支持する前記ロータディスク（６０，６３）のうちの少なくとも一方から始まるダボ（４）を、前記定置のブレード（８２）の基部（８７）に形成された溝（７）の内部に挿入して延在させることにより、各前記定置のブレード（８２）をそれぞれの角度位置（８３）に固定する（１２５）、請求項４記載の方法（１００）。
【請求項６】
前記定置のブレード（８２）の前記基部（８７）に形成された前記溝（７）内に延在する前記ダボ（４）は、前記溝（７）を貫通して、前記１つまたは複数のロータディスク（６０，６３）のうちの他方の内部に延在している、請求項５記載の方法（１００）。
【請求項７】
前記定置のブレード（８２）の前記基部（８７）に形成された前記溝（７）は、前記圧縮機段ブレードアセンブリ（１）の前記周方向クリアランス（９）からは不連続である、請求項５または６記載の方法（１００）。
【請求項８】
前記インサート（９７）はシムである、請求項１から７までのいずれか１項記載の方法（１００）。
【請求項９】
前記シムはプラスチック製である、請求項８記載の方法（１００）。
【請求項１０】
前記インサート（９７）は、前記定置のブレード（８２）の吸込側（８９）に導入される、請求項１から９までのいずれか１項記載の方法（１００）。
【発明の詳細な説明】
【技術分野】
【０００１】
本技術は、一般にロータのバランス取りに関し、より詳細には、圧縮機段ブレードアセンブリを備えたガスタービン圧縮機ロータの低速でのバランス取りに関する。
【背景技術】
【０００２】
限界速度以下で運転するロータについて、このようなロータはロータに配列変化を生じさせる速度では運転しないため、通常、ロータの取付けまたは運転前にロータのバランスを取るには、低速でバランスをとれば十分である。
【０００３】
特に、いくつかの圧縮機ブレード、すなわち圧縮機ブレードの列が、２つの隣接するディスクの向かい合う面の間に、またはディスクのリムに形成された周縁通路の向かい合う壁の中に周方向にクランプされて、圧縮機ブレードの列を適所に保持して圧縮機ブレードアセンブリの段を形成する、１つまたは複数の圧縮機段ブレードアセンブリを有するロータについては、通常、圧縮機ブレードの熱膨張を許容するために、特に圧縮機ブレードの基部、すなわち根元および／またはプラットホームの熱膨張を許容するように、周方向の小さなクリアランスが、列内の各ブレード間に含まれている。２つの隣接するディスクの向かい合う面の間に周方向にクランプされた圧縮機ブレードを有するこのような圧縮機段ブレードアセンブリは、通常、ガスタービン圧縮機ロータ内の前方の第２段から見られる。
【０００４】
周方向クリアランスの結果として、圧縮機ブレード（以下、ブレードとも言う）は、段内で周方向に移動することができる。ブレードの移動の可能性を有するこのような圧縮機段ブレードアセンブリを有するロータのバランスを取ることは困難である。なぜならば、ブレードの移動により、低速でバランスを取る運転毎に、アンバランスな変動が生じるからである。圧縮機段ブレードアセンブリ内のブレードの移動のために、低速でのバランス取りでは、運転速度に対してロータのバランスを正確に取ることはできない。なぜならば、低速でバランスを取る間、圧縮機段ブレードアセンブリは、例えば８００ｒｐｍの速度で回転されるからである。これは、例えば８０００ｒｐｍ〜１４０００ｒｐｍ以上であり得る運転速度よりも大幅に低い。運転速度に起因して生じるブレードの移動による、実際の運転時の位置と比較して、低速でバランスを取る場合には、ブレードは、圧縮機段ブレードアセンブリ内で異なる位置に留まる。「低速」という用語は、ここではエンジンの最高回転速度の最大２０％、好適には最高回転速度の最大１０％、より好適には最大約５％とみなすことができる。「低速」という用語は、好適には最高回転速度の少なくとも１％でバランスがとられた場合に、ブレードアセンブリが回転していることを意味するように意図されている。
【０００５】
つまり、アセンブリ内でブレードが動く可能性のある圧縮機段ブレードアセンブリを有するロータのバランスを運転速度に対して取るためには、従来知られている低速でバランスを取る方法では不十分である。本開示では、「低速」という用語は、通常低速でバランスを取る回転速度を意味すると共に、圧縮機段ブレードアセンブリの限界速度以下での回転、および／または、圧縮機段ブレードアセンブリを有するガスタービンロータアセンブリがガスタービンエンジン内に配置されておりかつガスタービンエンジンが運転されているときに、圧縮機段ブレードアセンブリが通常運転する速度よりも低い、例えば５０パーセント低い速度での回転を含む。本開示では、「運転速度」という用語は、圧縮機段ブレードアセンブリを有するガスタービンロータアセンブリがガスタービンエンジン内に配置されており、かつガスタービンエンジンが限界速度以下で規定の動力を出力するように運転されるときに、圧縮機段ブレードアセンブリが通常運転する速度を意味する。一般的に言えば、運転速度は、圧縮機段ブレードアセンブリが回転されるときの速度と理解されてよく、ブレードは、圧縮機段ブレードアセンブリ内で、圧縮機段ブレードアセンブリの回転方向とは逆の方向で、周方向クリアランスによって可能な限り遠い位置に配置されている。
【０００６】
米国特許第３５８４９７１号明細書は、周方向溝を有するロータディスクと、ディスクによって支持され、半径方向流入型の根元部を有しているブレードの環状アレイと、を備えるタービンロータを開示している。根元部は溝に係合しており、ブレードは、グループ毎に通常は同数のブレードを有する円弧状のグループ内に配置されている。ブレードにはほぞが設けられており、等間隔の開口を有する円弧状のシュラウドセグメントが、各グループのブレードと結合するためにほぞに係合するように適合されており、これにより、各グループ内の結合されたブレードの根元部は、端部同士で隣接して配置されることになる。各グループ内のブレードの数は、通常、シュラウドセグメントの等間隔の開口と係合可能でありかつ端部同士は隣接したままのブレードの数と等しくなる。ほぞは、結合されるシュラウドセグメントに固く結合され、グループの厚さを所定の厚さに調節するために、隣接するブレード群の根元部の間に薄いライナ部材が間挿される。しかしながら、薄いライナ部材はブレードおよびロータアセンブリの恒久的な部品であり、通常のエンジン運転時に使用される。
【０００７】
さらに、本開示では、「アンバランス」および「バランス」という用語が従来通りに用いられており、ここで用いられるように程度を表す用語である。バランスの程度は、慣例に従って理想的にはアンバランスが全く生じない状態、または比較的小さなアンバランスが生じる状態が達成されるように選択される。
【０００８】
上述したブレードの移動の可能性を有する少なくとも１つの圧縮機段ブレードアセンブリ（以下、圧縮機段ブレードアセンブリまたは単にアセンブリと呼ぶ）を有するロータのバランスを取る、という問題を解決する１つの方法は、圧縮機段ブレードアセンブリが運転速度で回転している間に、圧縮機段ブレードアセンブリのバランスを取ることである。しかしながら、運転速度で回転させる場合には、このような圧縮機段ブレードアセンブリを備えたロータのバランスを取る際に克服しなければならない実行可能性およびコストの重要な問題がある。したがって、バランスを取る過程において実際に圧縮機段ブレードアセンブリを運転速度または高速で運転させること無しに、運転速度でバランスを取ることまたは高速でバランスを取ることの有益な効果を達成する必要がある。
【発明の概要】
【発明が解決しようとする課題】
【０００９】
よって、本開示の目的は、バランスを取る過程において実際に圧縮機段ブレードアセンブリを運転速度または高速で運転させること無しに、運転速度でバランスを取ることまたは高速でバランスを取ることの有益な効果を達成する技術を提供すること、または換言すると、低速でのバランス取りを実行する間に、圧縮機段ブレードアセンブリの運転速度でのバランスを達成することにある。
【課題を解決するための手段】
【００１０】
上記の目的は、本技術の請求項１記載の、少なくとも１つの圧縮機段ブレードアセンブリを有するロータを低速でバランス取りする方法によって達成される。本技術の有利な実施形態は、各従属請求項に記載されている。
【００１１】
本技術では、少なくとも１つの圧縮機段ブレードアセンブリを有するロータを低速でバランス取りする方法が提示される。圧縮機段ブレードアセンブリ（以下、アセンブリとも呼ばれる）は、隣接するロータディスクの２つの向かい合う面の間、または１つのディスクのリムに形成された周縁通路の２つの向かい合う面の間に周方向でクランプされ、ガスタービン圧縮機ロータの段を形成している、一列の複数の圧縮機ブレードを備える。アセンブリは、圧縮機ブレードの列内の、すなわち周方向でクランプされた圧縮機ブレード（以下、ブレードとも呼ばれる）の間の周方向クリアランスを有している。本方法では、アセンブリの２つ以上のブレードが、定置のブレードとして識別される。アセンブリ内の定置のブレードはそれぞれ、アセンブリの回転軸に対してある角度位置を有している。定置のブレードは、アセンブリが低速でのバランス取りのために回転されたときに、定置のブレードがそれぞれの角度位置から周方向に変位しないように、アセンブリ内でそれぞれの角度位置に保たれている。
【００１２】
低速でバランスを取るこの技術には、圧縮機段ブレードアセンブリのバランスを取る運転ステップが含まれる。このステップ自体は従来通りであってよく、バランス取りは、ロータ／ブレードアセンブリからの材料の除去、ロータ／ブレードアセンブリに対する材料の追加、アセンブリ内でのブレード位置の変更、ロータ／ブレードアセンブリのブレードの交換、ロータ／ブレードアセンブリに配置された質量体の位置調節、および当業者に既知の他の技術のうちの任意の１つまたは複数によって達成することができる。
【００１３】
低速でバランスを取るこの技術には、低速でバランスを取るステップが完了した後に１つまたは複数のインサートを除去する運転ステップが含まれる。これらのインサートは、通常のエンジン運転中には使用されない。
【００１４】
定置のブレードの結果として、アセンブリは複数の区分に分割されており、これらの区分の数は、定置のブレードの数に等しい。各区分には１つまたは複数の可動ブレードが含まれており、可動ブレードの数は、可能な限り他の区分と等しくなっており、通常、一方の定置のブレードの吸込側と他方の定置のブレードの吐出側との間に制限されている。さらに、定置のブレードがそれぞれの角度位置に保持される結果として、周方向クリアランスは、各区分に配置された複数の区分毎の周方向クリアランス、すなわち周方向クリアランスから形成された複数のより小さなクリアランスまたは部分に細分される。
【００１５】
本方法では、圧縮機段ブレードアセンブリが回転されるとき、圧縮機段ブレードアセンブリの回転方向に対して上流側に可動ブレードを移動させることによって、区分に対応する区分毎の周方向クリアランスが、可動ブレードに対して周方向下流側に移動されるように、可動ブレードが区分毎に周方向に調節される。１つまたは複数のインサートを区分毎の周方向クリアランスのそれぞれに導入して、各区分内の区分毎の周方向クリアランスと可動ブレードとの相対位置を保持する。最後に、本方法では、低速でのバランス取り条件において、少なくとも１つの圧縮機段ブレードアセンブリを備えたロータに対するアンバランスの測定を行う。低速でバランスをとった後にインサートを除去し、クリアランスは、ブレードの根元の熱膨張を収容するように維持される。低速でバランスを取ることに関して、インサートは、一時的なインサートと呼ぶことができる。つまり、低速でバランスを取る間、可動ブレードは回転軸に対してアセンブリ内で異なる周方向位置にあるのではなく、運転速度に起因して生じるブレードの移動によりガスタービンロータの実際の運転中に可動ブレードが位置するであろう位置にある。その結果、低速でバランスを取る運転過程において、アセンブリを実際に運転速度または高速で運転すること無しに、運転速度でバランスを取ることまたは高速でバランスを取ることの有益な効果が達成される。
【００１６】
本方法の一実施形態では、アセンブリ内の定置のブレードの角度位置は、定置のブレードがそれぞれの角度位置に保たれた場合にアセンブリが複数の均等な区分に分割されるようになっている。均等なまたはほぼ均等な複数の区分に分割することで、アセンブリの回転軸周りの、定置のブレードの周方向での配置が軸対称またはほぼ軸対称になり、したがってより良好なバランスが達成される。
【００１７】
本方法の別の実施形態では、定置のブレードの識別時に、６つの定置のブレードが識別される。つまり、６つの区分が生じており、これらが均等または少なくとも実質的に均等である場合には、アセンブリの回転軸周りに、６つの定置のブレードの周方向での配置は軸対称であり、したがってより良好なバランスが達成される。
【００１８】
本方法の別の実施形態では、定置のブレードをそれぞれの角度位置に保持することは、定置のブレードをそれぞれ、その角度位置に固定することを含む。したがって、本技術は、定置のブレードとして識別されるブレードがそれぞれの角度位置に事前に固定されていないアセンブリにも適用される。定置のブレードの固定は、定置のブレードをそれぞれの角度位置に保持することを容易にする。本方法の関連実施形態では、定置のブレードの基部、例えば根元部分に形成された溝の内部に、隣接するロータディスクのうちの一方から、または周縁通路の面の１つから始まるダボを挿入して延在させることにより、各定置のブレードがそれぞれの角度位置に固定される。本方法の別の関連実施形態では、定置のブレードの基部に形成された溝内に延在するダボは、溝を貫通して、隣接するロータディスクの他方の中に、または周縁通路の他方の面の中に延在している。これは、定置のブレードを、アセンブリ内のそれぞれの角度位置に固定する方法を提供する。本方法のさらに別の関連実施形態では、定置のブレードの基部に形成された溝は、圧縮機段ブレードアセンブリの周方向クリアランスからは不連続である。したがって、基部に形成された溝は、トンネルまたは通路として形成されており、基部の端部における切欠きとして形成されているわけではない。このことは、単一のダボを挿入して定置のブレードをその角度位置に固定することを容易にする。この方法により固定された定置のブレードは、定置のブレードが固定されてはいるが、固定により規定される制限された距離内でまだ僅かに可動である状況とは対照的に、その角度位置に不動に保持される。
【００１９】
本方法の別の実施形態では、インサートはシムである。いくつかのインサートに関して、インサート毎に１つまたは複数のシムが存在していてよい。シムは、区分毎の周方向クリアランス内にインサートとして導入しやすく、バランス取りの後には除去することができる。関連実施形態では、シムはプラスチック製である。プラスチックシムは安価、軽量であり、要求とおりに堅くまたは柔軟であることができ、使いやすく、かつ容易に入手可能である。
【００２０】
本方法の別の実施形態では、インサートは定置のブレードの吸込側に導入される。アセンブリは通常、アセンブリ内の任意の所与のブレードに関して、所定の回転方向において吸込側から吐出側へ回転されるため、これは、アセンブリのアンバランスの測定を行うステップの前に、インサートひいては区分毎の周方向クリアランスと可動ブレードとの相対位置があるべき場所を確定する、簡単な方法を提供する。インサートは、低速でのバランス取りの後に除去される。よって、通常のエンジン運転では、すなわち低速でのバランス取りの後には、インサートは存在していない。インサートの除去は、周方向クリアランスが通常運転中に維持されると共に、ブレードの根元および／またはディスクの溝の熱膨張および／または遠心力や空気力などの回転動作により生じる移動を周方向クリアランスが収容することを意味する。
【００２１】
インサートは、プラスチックシムの形態であってよく、低速でのバランス取りの後に除去される一時的なものである。低速でのバランス取りの間、インサートは定置のブレードと協働して、ブレード区分を、これらのブレード区分が通常（全速）運転中に占める位置へと押し退ける。これは、低速でのバランス取りの間のブレードの移動を止め、通常のエンジン運転速度で使用されるときにロータの正確なバランス取りを可能にする。ロータの低速でのバランス取りの後では、ブレードの根元間の周方向クリアランスが熱膨張を収容するようにそこになければならないので、インサートが除去される。
【００２２】
本発明は、ロータブレードアセンブリの低速でのバランス取りの正確さを大幅に改善する。なぜなら、さもなければロータアセンブリの残留アンバランスに影響を与える、ブレードの移動が大幅に減少されるかまたは完全に防止されるからである。さらに、本発明なしでは、低速でのバランス取りの間に、あるエンジン運転から別のエンジン運転まででアンバランスの測定が顕著に異なっていることが分かり、これはすなわち、あるエンジン運転から別の運転まででブレードが自由に異なる位置を占めるようになっているためである。さらに、通常のエンジン運転条件、例えば高速では、ブレードはある一貫した反復可能な位置に移動する傾向がある。したがって、アンバランス状態は、あるエンジン運転と運転との間で比較的一貫性がある。
【００２３】
本技術の上記の特性、別の特徴および利点並びにこれらを達成する方法は、添付の図面と併せて本技術の複数の実施形態の以下の説明を参照することにより一層明確になると共に、本技術自体もより良好に理解される。
【図面の簡単な説明】
【００２４】
【図１】本技術によりバランスを取る圧縮機段ブレードアセンブリを有するロータの例示的な実施形態が組み込まれているガスタービンエンジンの一部を示す断面図である。
【図２】図１に示した圧縮機段ブレードアセンブリの一部を概略的に示す断面図である。
【図３】圧縮機の１つの段を形成しかつ圧縮機段ブレードアセンブリ内の周方向クリアランスを含む、圧縮機段ブレードアセンブリの例示的な実施形態を概略的に示す図である。
【図４】図３に示した少なくとも１つの圧縮機段ブレードアセンブリを有するロータを低速でバランス取りするために用いられる、本技術の方法の例示的な実施形態を示すフローチャートである。
【図５】圧縮機段ブレードアセンブリ内のそれぞれの角度位置と併せて、定置のブレードと可動ブレードを描くとともに、圧縮機段ブレードアセンブリ内の周方向クリアランスを描いた、圧縮機段ブレードアセンブリの一区分を概略的に示す図である。
【図６】圧縮機段ブレードアセンブリ内の定置のブレードの配置形式および結果として生じる区分および各区分の周方向クリアランスを概略的に示す図である。
【図７】図５および図６に示した定置のブレードのうちの１つの固定部を概略的に示す断面図である。
【図８】図７に示した定置のブレードを概略的に示す斜視図である。
【図９】図８の図面と比較して異なる角度で見た場合の、図７に示した定置のブレードを概略的に示す断面図である。
【図１０】周方向に調節した後の、圧縮機段ブレードアセンブリの区分内の可動ブレードおよび区分毎の周方向クリアランスの、図６の配置形式と比較した場合の配置形式を概略的に示す図である。
【図１１】本技術の態様に従って、周方向に調節された可動ブレードと当該区分の区分毎の周方向クリアランスに導入されたインサートとを備えた、圧縮機段ブレードアセンブリの区分のうちの１つを概略的に示した図である。
【発明を実施するための形態】
【００２５】
以下に、本技術の上述した特徴およびその他の特徴を詳細に説明する。図面を参照して様々な実施形態を説明するが、同様の部材を指すために全体を通して同じ参照番号が用いられる。以下の記述では、説明を目的として、１つまたは複数の実施形態の完全な理解が得られるように、多数の具体的な詳細事項を述べる。図示の実施形態は説明を目的としたものであり、本発明を限定するものではないことに注意されたい。このような実施形態がこれらの具体的な詳細事項無しでも実施することができることは明らかである。
【００２６】
図１には、ガスタービンエンジン１０の一例が断面図で示されている。ガスタービンエンジン１０は、流れの順序で、入口１２と、圧縮機または圧縮機区分１４と、燃焼器区分１６と、タービン区分１８とを備え、これらは流れの順序でかつ通常は回転軸２０の周りに回転軸２０の方向に配置されている。ガスタービンエンジン１０はさらに、回転軸２０の周りに回転可能であるシャフト２２を備え、シャフト２２は、ガスタービンエンジン１０を長手方向に貫通して延在している。シャフト２２は、タービン区分１８を圧縮機区分１４に駆動結合している。
【００２７】
ガスタービンエンジン１０の運転時には、空気入口１２を通して取り入れられた空気２４が圧縮機区分１４により圧縮されて、燃焼区分または燃焼器区分１６へ送られる。燃焼器区分１６は、燃焼器プレナム２６と、長手方向軸３５に沿って延在する１つまたは複数の燃焼室２８と、各燃焼室２８に取り付けられた少なくとも１つの燃焼器３０とを備える。燃焼室２８と燃焼器３０とは、燃焼器プレナム２６の内部に配置されている。圧縮機１４を通過して圧縮された空気はディフューザ３２に流入し、ディフューザ３２から燃焼器プレナム２６内へ放出され、そこから空気の一部が燃焼器３０に流入して、気体燃料または液体燃料と混合される。次いで、空気／燃料混合物が燃焼され、燃焼による燃焼ガス３４または作業ガスが燃焼室２８を通り、移行ダクト１７を介してタービン区分１８へと導かれる。
【００２８】
この典型的なガスタービンエンジン１０は、缶形燃焼器区分配置１６を有している。缶形燃焼器区分配置１６は、それぞれが燃焼器３０と燃焼室２８とを有している、複数の燃焼器缶１９の環状配列により構成されている。移行ダクト１７は、燃焼室２８に接続する略円形の入口と、環状セグメントの形態の出口とを有している。移行ダクト出口の環状配列は、燃焼ガスをタービン１８へ導くための１つの環を形成している。
【００２９】
タービン区分１８は、シャフト２２に取り付けられたいくつかのブレード支持ディスク３６を備える。この例では、２つのディスク３６がそれぞれ、タービンブレード３８の環状配列を支持している。ただし、ブレード支持ディスクの数は異なっていてもよい。すなわち、ディスクは１つだけまたは３つ以上であってもよい。さらに、ガスタービンエンジン１０のステータ４２に取り付けられたガイドベーン４０が、タービンブレード３８の環状配列の各段の間に配置されている。燃焼室２８の出口と、導入タービンブレード３８との間には、入口ガイドベーン４４が設けられており、作業ガスの流れをタービンブレード３８の方に向ける。
【００３０】
燃焼ガス３４は、燃焼室２８からタービン区分１８へ流入してタービンブレード３８を駆動し、続いてタービンブレード３８がロータを回転させる。ガイドベーン４０，４４は、タービンブレード３８に対する燃焼ガスまたは作業ガス３４の角度を最適化する働きをする。
【００３１】
タービン区分１８は、圧縮機区分１４を駆動する。圧縮機区分１４は、軸方向に連続するベーン段４６とロータブレード段４８とを備える。ロータブレード段４８はロータディスクを備え、ロータディスクは、ディスクのリムに形成された周方向通路内でブレードの環状配列を支持しているか、または、ロータブレード段４８は、隣接するロータディスク６０，６３（図２に示す）の２つの向かい合う面６２，６４（図２に示す）の間に周方向に配置された圧縮機ブレードを備えていてもよい。通常、ブレードの環状配列は、ブレードまたは圧縮機ブレード８（図３に示す）の列５（図３に示す）とも呼ばれる。圧縮機区分１４は、圧縮機１４とも呼ばれ、ロータ段を包囲しかつベーン段４６を支持するケーシング５０をも備える。ガイドベーン段は、ケーシング５０に取り付けられた半径方向に延びるベーンの環状配列を有している。ベーンは、所定のエンジン動作点においてガス流をブレード８に対して最適な角度に向けるように設けられている。ガイドベーン段のいくつかは、可変ベーンを有しており、可変ベーンの角度は、様々なエンジン運転状態において生じ得る空気流特性に応じて、可変ベーン自体の長手方向軸の周りに角度調節することができる。
【００３２】
ケーシング５０は、圧縮機１４の通路５６の半径方向外面５２を画成している。通路５６の半径方向内面５４は少なくとも部分的に、ロータのロータドラム５３により画成されており、ロータは部分的に、ロータブレード段４８の環状配列により画成されている。
【００３３】
本技術を、単一の多段圧縮機と単一の単段または多段タービンを接続する単一のシャフトまたはスプールを有する上記の典型的なタービンエンジンを参照して説明する。しかしながら、本技術は２軸または３軸エンジンにも等しく適用することができ、工業用途、航空用途または船舶用途に用いることができることを認識されたい。さらに、缶形燃焼器区分配置１６は典型的な用途にも用いられ、本技術は、環状型燃焼室と缶型燃焼室とに等しく適用可能であるということを認識されたい。
【００３４】
軸方向、半径方向および周方向という用語は、別途記載がない限り、エンジンの回転軸２０に関連して用いられる。図１に記載した参照符号「Ａ」は、図３に示す圧縮機段ブレードアセンブリ１の一部または区分を示すものである。圧縮機段ブレードアセンブリ１は、圧縮機１４のロータの１つの段４８を構成している。区分Ａの詳細は、図２に示されている。
【００３５】
図２は、隣接するロータディスク６０，６３の２つの向かい合う面６２，６４の間に配置または支持されていて、圧縮機１４の１つの段４８を形成している、圧縮機ブレード８を概略的に示している。本開示では、ガスタービン圧縮機ロータの１つの段を形成するように、１つのディスクのリムに形成された周方向通路の２つの向かい合う面の間に周方向に配置され支持された１列の圧縮機ブレードの実施形態は図示されていないが、このような実施形態は十分に本技術の範囲内であることが当業者には理解される。隣接するディスク６０，６３の別の面６１，６５はそれぞれ、別個に、または他方の隣接する各ディスク（図示せず）の向かい合う面と組み合わされて、圧縮機ブレードの別の列（図示せず）を支持し、圧縮機１４の前段および後段を形成してよい。圧縮機ブレード８またはブレード８は、翼部８６と基部８７とを有しており、通常は根元およびプラットホームを有している。複数のブレード８の基部８７は、半径方向外側に向かって延びる翼部８６と共に、向かい合う面６２，６４の間に嵌合または配置されている。
【００３６】
図３は、隣接するディスク６０，６３（図３で見るとディスク６０の面６１だけが示されているように見える）の間で周方向に配置され、複数のブレード８の列５を有する圧縮機段ブレードアセンブリ１を形成している、多数の、特に７つのブレード８を概略的に示している。アセンブリ１がガスタービンエンジン１０の内側にあり、圧縮機が運転中の場合、アセンブリは上述したように回転軸２０の周りに回転するが、アセンブリ１がアセンブリ１を備えるロータと共に回転すると、ガスタービンエンジンの外側でバランスを取る目的のために、アセンブリ１は、アセンブリ１の中心の周りに回転するまたは回転されることを要求されるので、回転の軸６６は、アセンブリ１の中心を通ることになる。各ブレード８の間、またはより詳細には（図２に示したような）各ブレード８の基部８７の間には、１つまたは複数の基部８７が膨張した場合、例えば基部８７がいくらか熱膨張した場合に各ブレード８が適応することを可能にするために、クリアランスが許容または配置されている。列５におけるクリアランス、すなわち各ブレード８間のギャップまたは空間は、各ブレード８のうちの少なくともいくつかが周方向に移動またはずれることを可能にする。一例では、クリアランスは、隣接する任意の２つのブレードの間に集約または集積されるか、または列５の全体にわたり周方向に分散されてよく、周方向クリアランス９と呼ばれる。図３には、２つの周方向位置に分散された周方向クリアランス９が示されている。
【００３７】
アセンブリ１の一実施形態では、ブレード８のうちのいくつかがディスク６０，６３に対して位置固定されていてもよいし、または周方向移動が厳密に制限されていてもよい。このような場合、アセンブリ１は２つ以上の区分、場合によっては６つか８つの区分に分割されており、周方向クリアランス９は、複数の区分に分散または配分されているか、または散在している。
【００３８】
図４には、少なくとも１つのアセンブリ１を有するロータを低速度でバランス取りする方法１００の、１つの例示的な実施形態を示すフローチャートが示されており、方法１００の様々なステップまたは配置形式を概略的に示す図５〜図１１を参照して以下で説明する。方法１００では、ステップ１１０において、アセンブリ１の複数の圧縮機ブレード８またはブレード８を、定置のブレード８２と識別する。アセンブリ１が有するブレード８のいくつかがディスク６０，６３に対して適所に固定されているか、または周方向移動が厳密に制限されている場合には、これらのブレード８を定置のブレード８２であると識別する。代わりに、ディスク６０，６３に対して固定されたブレード８、または周方向移動が厳密に制限されたブレード８がない場合には、少なくとも２つ以上のブレード８が、定置のブレード８２として識別されるように選択される。
【００３９】
定置のブレード８２として識別されるべきブレード８は、軸対称または（ブレード数を区分数で割れない場合は）ほぼ軸対称に選択される。すなわち、定置のブレード８２として識別されるべきブレード８は、アセンブリ１内で軸対称を形成するように選択され、例えば図５に示すように、その位置が図５中で参照符号８３を付された矢印、すなわち軸６６に対するブレード８の角度位置８３で表された第１のブレード８が選択され、その５つ後のブレード８において第２のブレード８が選択され、第２のブレード８の位置も、図５中で参照符号８３を付された矢印によって表されている。図５中で参照符号８３を付された矢印によって表されたこれら２つのブレード８が、定置のブレード８２として識別される。これらの２つのブレード８が既に固定されていた場合にも、２つのブレード８は定置のブレード８２として識別される。周方向クリアランス９の少なくともいくつかのまたは部分または一部が、定置のブレード８２の間に存在しているのに加え、その他のブレード８２は、２つの定置のブレード８２の間に存在する周方向クリアランス９の部分または一部のおかげで、２つの定置のブレード８２の間で周方向に自由に可動である。図５に示す例の、２つの定置のブレード間のブレード８は、可動ブレード８４と呼ばれ、可動ブレード８４の可変の各位置が、図５に参照符号８５を付された点によって示されている。
【００４０】
方法１００では、次のステップ１２０において、定置のブレード８２を、それぞれの角度位置８３に保持する。固定されているという特性のために、それらのブレード８が、ディスク６０，６３に対して既に位置固定されている定置のブレード８２として識別される、アセンブリ１の実施形態では、定置のブレード８２がその角度位置８３に保持される。代わりに、それらのブレード８が、ディスク６０，６３に対してまだ位置固定されていない定置のブレード８２として識別される、アセンブリ１の実施形態では、定置のブレード８２は、方法１００のステップ１２５において定置のブレード８２を固定することにより、それぞれの角度位置８３に保持される（１２０）。
【００４１】
図７、図８および図９は、定置のブレード８２をその角度位置に固定する方法１２５を概略的に示す。固定１２５は、定置のブレード８２の識別後に実行されてもよいし、または好適にはアセンブリ１の製造中に、後で定置のブレード８２として識別されるアセンブリ１のいくつかのブレード８２において行われてもよく、これも定置のブレード８２の固定と呼ばれることに注意されたい。図７に示すように、定置のブレード８２はそれぞれ、定置のブレード８２の基部８７に形成された溝７の中に、隣接するロータディスク６０，６３のうちの一方（図７のディスク６３）から始まるダボ４を挿入して延在させることによって、それぞれの角度位置８３に固定される（１２５）。溝７は、例えば円形、円の断片、Ｕ字形、三角形、矩形およびあらゆる開いた形状等々の、あらゆる断面形状を有する通路として形成されている。ダボ４は、構造体のような細長い棒であり、あらゆる断面形状、好適には、溝７の形状に対して相補的な形状を有していてよい。別の実施形態では、対応するダボ４が内部に延在し得る、多数の溝７が存在していてよい。図８および図９に示すように、溝７は、基部８７の中央領域に形成されてよく、その結果、溝７は、周方向クリアランス９から不連続的になっており、この場合、定置のブレード８２をその角度位置に固定するためには単一のダボ４で十分である。図７に示すような一実施形態では、溝７と、溝７の内部へのダボ４の延在部とは、互いに中央でまたは部分的に基部８７の内部へ延在していてよい。別の実施形態（図示せず）では、溝７は基部８７を貫通しており、この場合、ダボ４は一方の面６４から溝７の内部へ延びると共に溝７を貫通して、隣接するロータディスク６３，６０それぞれの他方の面６２の内部へ延びている。
【００４２】
再び図４を参照すると、上述したような定置のブレード８２の固定１２５を選択的に含む、定置のブレード８２をそれぞれの角度位置８３に保持するステップ１２０の結果として、アセンブリ１は、図６に示すように複数の区分２に細分される。図６は、軸対称であると識別された６つの定置のブレード８２の角度位置８３を示しており、これらの６つの定置のブレード８２が、それぞれの角度位置８３に保持されるとき（１２０）、アセンブリ１が６つの区分２に分割または区分けまたは区別されるか、またはアセンブリ１に６つの区分２が生じる。アセンブリ１内の、各角度位置８３によって表される定置のブレード８２の配置形式および結果的に生じる区分２が、図６に示されている。定置のブレード８２は、０度、６０度、１２０度、１８０度、２４０度および３００度の角度位置８３に位置している（または、ブレード数が６で割れない場合には、これらの角度位置の近傍に位置している。例えば、段全体が５９のブレードから構成されている場合には、５つの区分がそれぞれ１０枚のブレードを有するが、１つの区分は９枚のブレードを有していてよい）。
【００４３】
さらに、周方向クリアランス９が、区分２内で、区分毎の周方向クリアランス９９として配分されてもいる。好適にはアセンブリ１の製造中に、後で定置のブレード８２として識別されるいくつかのブレード８がアセンブリ１に固定または前固定されているアセンブリ１の実施形態では、周方向クリアランス９は既に、区分毎の周方向クリアランス９９と呼ばれる、複数のより小さな独立したギャップまたは遊びに分割されている。
【００４４】
図６に示したように、区分毎の周方向クリアランス９９は、複数の区分２または各区分２に存在しているが、図６には３つの区分毎の周方向クリアランス９９だけが示されている。したがって、ステップ１２０の結果として、各区分２は、各区分２内に配分された、または各区分２と共に１つまたは複数の角度位置に集積された、区分毎の周方向クリアランス９９を有しており、かつ複数の可動ブレード８４を有している。ステップ１２０の後で、区分毎の周方向クリアランス９９および可動ブレード８４の配置に特定の順序はない。各区分２における可動ブレード８４の数は、好適には同じであるが、正確に同じではなくほぼ同様であってもよい。例えば図６では、区分２のうちの１つは、３つの可動ブレード８４を有しているのに対し、他の２つの区分２は、４つの可動ブレード８４を有していることに注意されたい。図６中の他の３つの区分２について、可動ブレード８４の角度位置８５および区分毎の周方向クリアランス９９は、図６では簡単のために図示していない。異なる区分２における可動ブレード８４の数は、単に例示目的のために示されたものであり、限定を意味するものではないことにも注意されたい。
【００４５】
再び図４を参照すると、ステップ１２０の後のステップ１３０は、各区分２の可動ブレード８４の周方向調節である。いくつかの区分２の可動ブレード８４と区分毎の周方向クリアランス９９の配置形式が、より良く理解するために図６と比較可能な図１０に概略的に示されている。ステップ１３０では、区分毎の周方向クリアランス９９が、区分内の可動ブレード８４に対して、周方向下流側６８に移動されるように、可動ブレードが各区分２内で周方向に調節、移動、シフトまたは滑動される。ここで可動ブレード８４および区分毎の周方向クリアランス９９の角度位置を定義、決定または説明するために用いられる下流側および上流側という用語は、バランスを取る間にアセンブリ１が回転されるかまたはアセンブリ１を回転させようとするときの、アセンブリ１の回転方向６７に関するものであり、この回転方向６７は、ロータが圧縮機内でガスタービン１０の運転中に回転しようとする方向と同じであってよい。したがって、各区分２に関して、下流側は、区分２の回転を先導する定置のブレード８２に向かう位置であり、上流側は、区分２の回転に追従する他方の定置のブレード８２に向かう位置である。換言すると、時計回り方向に回転しようとする場合に、所与の区分の先頭に来る定置のブレード８２は、所与の区分２の、後から来る他方の定置のブレード８２に比べると、反時計回り方向の場合には下流側になる。したがって、図１０に示す例では、アセンブリ１が方向６７に回転しようとする場合に、対応する各区分２に対して参照符号６８を付した矢印は、対応する各区分２に対して参照符号６９を付した矢印に比べて下流側にある。上流位置６９と下流位置６８とは相対的であり、所与の区分２内に限定されており、回転方向６７に関するものであることに注意されたい。
【００４６】
つまり簡単に言うと、図１０に示すように、所定の区分２内の区分毎の周方向クリアランス９９は下流側に配置または移動されており、この区分２内の可動ブレード８４は相対的に上流側に配置されている。区分毎の周方向クリアランス９９は、方法１００のステップ１３０の結果として各区分２内に分散または配分されるのではなく、単一のギャップ、空間または遊びとして集積されることに注意されたい。
【００４７】
図１１と合わせて図４を参照すると、方法１００では、ステップ１４０において、１つまたは複数のインサート９７が、区分毎の周方向クリアランス９９のそれぞれに導入または挿入される。区分毎の周方向クリアランス９９のそれぞれにインサート９７が導入または挿入された結果、各区分２内の区分毎の周方向クリアランス９９と可動ブレード８４との相対位置が固定またはロックされることになる。方法１００の一実施形態では、インサート９７はプラスチックから製造可能なシムである。プラスチックシムは、０．０１２ｍｍ〜０．０７５ｍｍの異なる厚さを有している。
【００４８】
各区分２内で、可動ブレード８４および区分毎の周方向クリアランス９９は、図１１に示すように、一方の定置のブレード８２の吸込側８９と、他方の定置のブレード８２の吐出側とによって限定されていることに注意されたい。方法１００において、方向６７は、可動ブレード８４と区分毎の周方向クリアランス９９とを限定する吸込側８９を有する定置のブレード８２が、吐出側８８が所与の区分２に対して可動ブレード８４と周方向クリアランス９９とを限定する他方の定置のブレード８２よりも先に移動するかまたは回転するような方向である。したがって、方法１００では、インサート９７は、各区分２に関して他方の定置のブレード８２の下流側に存在するかまたは存在するように意図される定置のブレード８２の吸込側８９に導入される。
【００４９】
図４に示したような方法１００の一実施形態では、ステップ１３０とステップ１４０とは連続して、すなわち最初にステップ１３０が行われてからステップ１４０が行われるのに対し、方法１００の一実施形態（図示せず）では、ステップ１３０とステップ１４０とが同時に行われる。すなわち、区分２内で、この区分２の他方の定置のブレードに比べて下流側に配置された定置のブレード８２の隣にインサート９７を導入する（１４０）ことによって、可動ブレードが調節され（１３０）、インサート９７を押し込み、挿入しまたは導入した結果、区分２の可動ブレード８４が、下流側に集積される区分毎の周方向クリアランス９９の上流側に押されるかまたは移動されることに注意されたい。
【００５０】
図４を参照すると、方法１００では、少なくとも１つのアセンブリ１を備えたロータのアンバランスの測定を行うステップ１５０が続く。ステップ１５０において、アセンブリ１を備えるロータは、ステップ１４０で導入されたようなインサート９７と共に、バランス取り装置を使用しかつバランス取り装置により監視されながらアセンブリ１を回転させることにより、低速でのバランス取りを受ける。回転は、方向６７で行われる。バランス装置、つまりアセンブリ１を有するロータを回転させるための装置と、低速でバランスを取る原理および技術とは、ロータのバランス取りの分野において周知であるので、簡単のためにここで詳説はしない。
【００５１】
１つの圧縮機段ブレードアセンブリ１を有するロータに関して本技術の方法１００を上述してきたが、本方法１００は、複数の圧縮機段ブレードアセンブリ１、例えば１０個の圧縮機段ブレードアセンブリ１を有するロータにも適用可能であることが、当業者によって認められるであろう。このような場合、方法１００のステップ１１０、ステップ１２０、選択的にステップ１２５、ステップ１３０およびステップ１４０は、低速でのバランス取りを受けるロータに含まれる全ての圧縮機段ブレードアセンブリ１に対して実行される。
【００５２】
本技術を特定の実施形態に関して詳細に説明してきたが、本技術はそれらの正確な実施形態に限定されるものではないことが認められるべきである。「第１」、「第２」等の用語の使用は、如何なる重要性の順序も意味せず、むしろ「第１」、「第２」等の用語は、１つの要素を他の要素から区別するために用いられることに注意されたい。むしろ、本発明を実施するための例示的な方法を説明する本開示を考慮して、本発明の範囲および精神から逸脱すること無しに、当業者に対して多くの変更および変化が提示される。それゆえ、本発明の範囲は、上記の説明によってではなく、以下の請求項によって示されている。請求項と均等の意味および範囲内にある全ての改変、変更および変化は、請求項の範囲内であるとみなされる。
【図１】
2019531435.tif 000003
【図２】
2019531435.tif 000004
【図３】
2019531435.tif 000005
【図４】
2019531435.tif 000006
【図５】
2019531435.tif 000007
【図６】
2019531435.tif 000008
【図７】
2019531435.tif 000009
【図８】
2019531435.tif 000010
【図９】
2019531435.tif 000011
【図１０】
2019531435.tif 000012
【図１１】
2019531435.tif 000013
【国際調査報告】
2019531435.tif 000014
2019531435.tif 000015